(57)【特許請求の範囲】
【請求項１】
表示デバイスに入力受付画面を表示させ、ユーザインタフェースを介して、１以上の項目について情報入力および当該情報入力を終える指示を、所定のキーへの操作により受け付ける情報受付手段と、
前記情報受付手段が前記指示を受け付けたとき、所定の記憶領域に予め入力必須と定められた前記項目で未入力のものがあった場合、当該項目である未入力項目の情報入力を受け付ける入力画面を、前記入力受付画面に重ねて表示されるポップアップ画面として表示し、前記未入力項目が複数あった場合には、前記入力画面において全ての前記未入力項目の情報入力を受け付けて未入力解消を促す入力補助手段と、
を備える情報登録装置。
【請求項２】
前記入力補助手段は、前記未入力項目が、顧客の外見に基づき年齢や性別に関する客層の情報である場合に、当該客層の情報を入力するための客層キーを、前記入力画面に含める
ことを特徴とする請求項１に記載の情報登録装置。
【請求項３】
前記入力補助手段は、前記入力画面に複数の前記未入力項目が含まれている場合に、入力受付中の前記未入力項目の入力に用いるキーを前記入力画面に含め、入力受付中の前記未入力項目の移り変わりに応じて前記キーを変更する
ことを特徴とする請求項１または２に記載の情報登録装置。
【請求項４】
前記入力補助手段は、バーコード読取による入力を指示するバーコード読取キーを前記入力画面に含め、前記入力画面に複数の前記未入力項目が含まれている場合に、入力受付中の前記未入力項目がバーコード読取により入力できるものであれば前記バーコード読取キーを有効にし、入力受付中の前記未入力項目がバーコード読取により入力できないものであれば前記バーコード読取キーを無効にする
ことを特徴とする請求項１または２に記載の情報登録装置。
【請求項５】
コンピュータを、
表示デバイスに入力受付画面を表示させ、ユーザインタフェースを介して、１以上の項目について情報入力および当該情報入力を終える指示を、所定のキーへの操作により受け付ける情報受付手段と、
前記情報受付手段が前記指示を受け付けたとき、所定の記憶領域に予め入力必須と定められた前記項目で未入力のものがあった場合、当該項目である未入力項目の情報入力を受け付ける入力画面を、前記入力受付画面に重ねて表示されるポップアップ画面として表示し、前記未入力項目が複数あった場合には、前記入力画面において全ての前記未入力項目の情報入力を受け付けて未入力解消を促す入力補助手段と、
して機能させるプログラム。
【発明の詳細な説明】
【技術分野】
【０００１】
本発明の実施形態は、情報登録装置およびプログラムに関する。
【背景技術】
【０００２】
情報登録装置は、登録する情報が含む項目のうちいくつかを入力必須としていることがある。ユーザが入力を終え登録の実行を指示したときに未入力の必須項目があった場合、従来の情報登録装置は、必須項目の未入力を告げるエラーを示すアラート画面を表示する。そして、ユーザがエラーを確認した旨を示す操作を行うと、情報登録装置は、登録実行指示時の画面に戻すなどする。
【０００３】
上述のように、エラーを示して登録実行時の画面に戻す運用であると、ユーザは、必須項目の入力が必要であることは分かる。しかしながら、ユーザは、不慣れであると、当該必須項目の入力の仕方が分からない。また、項目が複数ある入力画面に戻す運用であると、ユーザは、未入力の必須項目がどれであるのかを探さなければならず、時間がかかり、また、煩雑である。
【発明の概要】
【発明が解決しようとする課題】
【０００４】
本発明が解決しようとする課題は、情報登録に際し必須項目の未入力があった場合に、ユーザが不慣れでも滞りなく未入力を解消できる情報登録装置およびプログラムを提供することである。
【課題を解決するための手段】
【０００５】
実施形態の情報登録装置は、情報受付手段と、入力補助手段と、を備える。情報受付手段は、表示デバイスに入力受付画面を表示させ、ユーザインタフェースを介して、１以上の項目について情報入力および当該情報入力を終える指示を、所定のキーへの操作により受け付ける。入力補助手段は、前記情報受付手段が前記指示を受け付けたとき、所定の記憶領域に予め入力必須と定められた前記項目で未入力のものがあった場合、当該項目である未入力項目の情報入力を受け付ける入力画面を、前記入力受付画面に重ねて表示されるポップアップ画面として表示し、前記未入力項目が複数あった場合には、前記入力画面において全ての前記未入力項目の情報入力を受け付けて未入力解消を促す。
【図面の簡単な説明】
【０００６】
【図１】図１は、第１実施形態における情報登録装置であるＰＯＳ端末装置の外観を示す斜視図である。
【図２】図２は、ＰＯＳ端末装置のハードウェア構成を示すブロック図である。
【図３】図３は、ＰＯＳ端末装置の機能構成を示すブロック図である。
【図４】図４は、入力受付画面の一例である商品登録画面を示す図である。
【図５】図５は、入力画面の一例を示す図である。
【図６】図６は、締めキーが押下された場合に動作する処理の流れを概略的に示すフローチャートである。
【図７】図７は、入力画面の確定キーが押下された場合に動作する処理の流れを概略的に示すフローチャートである。
【図８】図８は、入力画面の閉じるキーが押下された場合に動作する処理の流れを示すフローチャートである。
【図９】図９は、第２実施形態における入力画面の一例を示す図である。
【図１０】図１０は、入力画面の一例を示す図である。
【発明を実施するための形態】
【０００７】
（第１実施形態）
情報登録装置およびプログラムの実施形態について、図面を用いて説明する。図１は、第１実施形態におけるＰＯＳ端末装置１の外観を示す斜視図である。ＰＯＳ端末装置１は、商品販売データ処理装置であって、情報登録装置の一例である。
【０００８】
ＰＯＳ端末装置１は、ドロワ２上に載置されて用いられる。ドロワ２は、金銭などを保管する。ＰＯＳ端末装置１は、ドロワ２の引出し３の開放動作を制御する。ＰＯＳ端末装置１は、キーボード４、オペレータ用表示部５、プリンタ６、客用表示部７、バーコードリーダ８などを備えている。
【０００９】
キーボード４は、ＰＯＳ端末装置１の上面右側に配されたユーザインタフェースの一つであって、オペレータによる操作を受け付ける。キーボード４は、例えば、販売員コードを登録する場合に押下する販売員キー、数値を入力するための置数キー（テンキー、numeric  key）、所定の項目を選択するためのカーソルキーや選択決定キー、客が購入する商品の合計金額の出力を指示する小計キー、一取引を締めて代金を決済することを宣言する締めキーなどの各種キーを備える。
【００１０】
オペレータ用表示部５は、キーボード４の奥に配された表示デバイス（例えば液晶ディスプレイ装置）であって、オペレータ向けの情報を表示する。プリンタ６は、ＰＯＳ端末装置１の上面左側に配され、レシートやジャーナルを印刷する。客用表示部７は、オペレータ用表示部５の後方（奥）に配された表示デバイス（例えば液晶ディスプレイ装置）であって、客向けの情報を表示する。バーコードリーダ８は、ユーザインタフェースの一つであって、ＰＯＳ端末装置１に接続されていて、客が購入する商品（不図示）に付されたバーコードを光学的に読み取る。
【００１１】
図２は、ＰＯＳ端末装置１のハードウェア構成を示すブロック図である。ＰＯＳ端末装置１は、さらに、カードリーダ９、ＣＰＵ１１０、ＲＯＭ１２０、ＲＡＭ１３０、記憶部１４０、通信インタフェース１５０などを備えている。これらはバスライン１６０で接続されている。
【００１２】
ＣＰＵ（Central  Processing  Unit）１１０、ＲＯＭ（Read  Only  Memory）１２０、およびＲＡＭ（Random  Access  Memory）１３０は、制御部１００を構成する。
【００１３】
ＲＯＭ１２０は、固定データ（例えばＣＰＵ１１０が実行するプログラムなど）を固定的に記憶保存する。ＲＡＭ１３０は、可変データを書き換え自在に記憶してワークエリアとして使用される。ＣＰＵ１１０は、ＲＯＭ１２０が記憶するプログラムをＲＡＭ１３０に展開して各種演算処理を実行することにより、各部（上述のドロワ２、キーボード４、表示部５，７、プリンタ６、バーコードリーダ８、カードリーダ９、ＲＯＭ１２０、ＲＡＭ１３０、記憶部１４０、通信インタフェース１５０など）を統括制御する。
【００１４】
ＲＡＭ１３０は、その一部の領域を、販売員コード記憶領域１３０ａと、顧客コード記憶領域１３０ｂと、客層コード記憶領域１３０ｃとして使用される。販売員コード記憶領域１３０ａは、販売員を識別する識別情報である販売員コードを記憶する領域である。制御部１００は、販売員キーが押下されると販売員コードの入力を受け付け、入力された値を販売員コード記憶領域１３０ａに記憶させる。また、制御部１００は、一連の処理が終了すると、販売員コード記憶領域１３０ａから販売員コードを消去する。
【００１５】
顧客コード記憶領域１３０ｂは、顧客を識別する識別情報である顧客コードを記憶する領域である。顧客コードは、例えば、顧客が提示するポイントカードに記録されている。客層コード記憶領域１３０ｃは、客層を識別する識別情報である客層コードを記憶する領域である。客層コードは、オペレータが、客の外見からその年齢層や性別を判断し、ユーザインタフェースから入力する。
【００１６】
販売員コード記憶領域１３０ａと同様に、顧客コード記憶領域１３０ｂ（および客層コード記憶領域１３０ｃ）も、制御部１００によりデータ書込およびデータ消去の制御を受ける。制御部１００は、顧客（客層）キーが押下されると顧客コード（客層コード）の入力を受け付け、入力された値を、顧客コード記憶領域１３０ｂ（客層コード記憶領域１３０ｃ）に記憶させる。また、制御部１００は、一連の処理が終了すると、顧客コード記憶領域１３０ｂ（客層コード記憶領域１３０ｃ）から顧客コード（客層コード）を消去する。
【００１７】
なお、ＲＡＭ１３０は、上述の各記憶領域の他に、例えば操作責任者コード記憶領域としても使用される。操作責任者コード記憶領域は、ＰＯＳ端末装置１の使用を開始する際に、ＰＯＳ端末装置１を使用する操作責任者を識別する操作責任者コードを記憶する領域である。操作責任者コードは、サインオン時に操作責任者コード記憶領域に記憶される。また、操作責任者コードは、サインオフ時に操作責任者コード記憶領域から消去される。
【００１８】
カードリーダ９は、ＰＯＳ端末装置１の右側面近傍に設けられているカード読取溝１０に通された磁気カードが保持する情報を読み取る。通信インタフェース１５０は、ＰＯＳ端末装置１の上位装置であるストアコントローラ３００と制御部１００とのデータ通信を仲介する。当該通信は、店舗内に設けられた構内通信回線網２００を用いる。また、通信インタフェース１５０は、外部コンピュータと制御部１００とのインターネットを介したデータ通信を仲介する。
【００１９】
ストアコントローラ３００は、店舗のバックヤード等に設置されている。ストアコントローラ３００のＨＤＤ（図示せず）には、ＰＯＳ端末装置１に配信される商品コードに価格などを対応付けたＰＬＵファイルなどの商品データが格納されている。ストアコントローラ３００は、ＰＯＳ端末装置１に商品データを配信する。ＰＯＳ端末装置１は、商品データを記憶部１４０などに記憶する。
【００２０】
記憶部１４０は、ＨＤＤ（Hard  Disk  Drive）やＳＳＤ（Solid  State  Drive）などで構成される。記憶部１４０は、オペレーティングシステムと、各種コンピュータプログラムとを記憶する。オペレーティングシステムと、各種コンピュータプログラムとは、ＰＯＳ端末装置１が備えている機能を発揮させるためのプログラムである。
【００２１】
また、記憶部１４０は、上述のプログラムが用いる各種設定値を記憶している。記憶部１４０が記憶する設定値としては、例えば、販売データ登録（後述）に際して各入力項目が入力必須であるか否かを定めた入力要否設定である。なお、入力要否設定の形式は、本実施形態のものに限らず、例えば、全入力項目について入力必須か否かを定めた記録であってもよいし、あるいは、入力必須の入力項目の一覧であってもよい。
【００２２】
さらに、記憶部１４０は、ＰＯＳ端末装置１で取り扱った販売データを、所定の領域に記憶している。当該販売データは、例えば営業日の終業後の所定時刻にストアコントローラ３００へ送信される。
【００２３】
このような構成のＰＯＳ端末装置１は、ユーザの操作指示に従い、販売データ登録処理を行う。販売データ登録処理において、ＰＯＳ端末装置１は、売上登録処理と会計処理とを行う。
【００２４】
売上登録処理において、ＰＯＳ端末装置１は、バーコードリーダ８でバーコードを読み取って商品コードを得て、記憶部１４０が記憶する商品データから商品コードに対応する価格などを得て、客が購入予定の１商品についてのデータをまとめてＲＡＭ１３０等の所定領域に一時的に記憶させる。
【００２５】
ＰＯＳ端末装置１は、小計キーの押下を受けると、会計処理を開始する。該会計処理において、ＰＯＳ端末装置１は、売上登録処理にて所定領域に一時的に記憶させた各商品の価格を合計し、締めキー押下に応じて取引を確定し、一取引として記憶部１４０の販売データに追加記録する。
【００２６】
次に、本実施形態にかかるＰＯＳ端末装置１の制御部１００が、コンピュータプログラムに従って実行する特徴的な処理について説明する。なお、従来から行なわれている処理と同様の処理についてはその説明を省略する。
【００２７】
図３は、ＰＯＳ端末装置１の機能構成を示すブロック図である。ＰＯＳ端末装置１の制御部１００は、コンピュータプログラムに従って動作することにより、図３に示すように、情報受付手段としての情報受付部１０１および入力補助手段としての入力補助部１０２として機能する。
【００２８】
図４は、本実施形態における入力受付画面の一例である商品登録画面４１０を示す図である。図５は、本実施形態における入力画面４２０の一例を示す図である。商品登録画面４１０および入力画面４２０は、オペレータ用表示部５が制御部１００の制御に基づいて表示する画面である。
【００２９】
商品登録画面４１０は、客がＰＯＳ端末装置１へ持ってきた購入予定商品の販売データ登録受付中に表示する画面である。情報受付部１０１は、商品登録画面４１０を、オペレータ用表示部５に表示させ、キーボード４やバーコードリーダ８などのユーザインタフェースを介して販売データ登録を受け付ける。そして、情報受付部１０１は、入力された情報や当該情報に基づく情報を表示する。商品登録画面４１０が表示する情報としては、例えば、バーコードリーダ８で読み取った商品コード、該商品コードに対応づけられた商品名や単価、キーボード４から入力された購入点数、割引ないし値引情報、金額などがある。また、情報受付部１０１は、キーボード４の締めキーが操作されると商品登録画面４１０による販売データ登録を終える。
【００３０】
最後の購入予定商品の登録が済んだ（すなわち締めキーが操作を受けた）ところで、入力必須としている項目（必須項目）が未入力であるなど何らかの問題があった場合、制御部１００は、決済に先立って問題の解消を行う。必須項目の未入力があった場合には、入力補助部１０２による処理を行う。
【００３１】
本実施形態においては、図５に示すように、販売員コードを必須項目の一例としている。一般に、販売データにおいて、ＰＯＳ端末装置１を実際に操作するオペレータを記録必須としている場合は多いが、オペレータとは別の「販売員」を記録必須とする場合がある。例えば、衣料品店であると、接客担当者がオペレータとならないことがある。そのような販売形態の店舗においては、接客担当者の記録を残すために「販売員コード」を必須項目とすることがある。
【００３２】
慣れたオペレータであれば必須項目の入力を忘れにくく、まれに忘れても従来のようなエラー表示に対して戸惑わず正規の入力方法で未入力を解消できると考えられる。しかしながら、必須項目を未入力としがちなのは不慣れなオペレータであることが多いので、エラー表示のみであると、未入力の解消に手間取ってしまう。販売データ登録の現場においては人員の入れ替わりが少なくないため、ユーザインタフェースは不慣れなオペレータが迷わないようサポートできるものであることが望ましい。
【００３３】
入力補助部１０２は、締めキーが操作されたときに未入力の必須項目（以下、未入力項目と称する）があると、商品登録画面４１０とは別の新たな入力画面４２０に、未入力項目の名称４２１を、新たな入力欄４２２とともに表示する。これにより、未入力項目の入力を促す。
【００３４】
なお、本実施形態においては、入力画面４２０をポップアップ画面とし、商品登録画面４１０に重ねて商品登録画面４１０より小さい画面としているが、実施にあたって、入力画面４２０を全画面表示としてもよい。
さらに、本実施形態では、入力画面４２０を登録受付画面４１０とは別にしているが、実施にあたっては、入力画面４２０を登録受付画面４１０と別にしなくてもよく、例えば、登録受付画面４１０の一部に入力画面４２０を嵌め込んだ状態で入力画面４２０を表示するなどしてもよい。
【００３５】
入力画面４２０は、入力欄４２２の他、バーコード読取キー４２３、置数キー４２４、クリアキー４２５、確定キー４２６、閉じるキー４２７、メッセージ４２８を備えている。入力欄４２２は、入力を受け付けた値を表示する。バーコード読取キー４２３は、バーコードリーダ８が読み取った値を入力値とする指示を受け付ける。置数キー４２４は、数値入力を受け付ける。クリアキー４２５は、入力済みの数値を消去する指示を受け付ける。確定キー４２６は、入力欄４２２に入力された値を未入力項目（例えば販売員コード）の値として確定する指示を受け付ける。閉じるキー４２７は、入力の有無にかかわらず入力画面４２０を閉じ、締めキー押下前に処理を戻す指示を受け付ける。メッセージ４２８は、該入力画面４２０によってオペレータに求めていることを伝える。
【００３６】
このような構成において、制御部１００は、図６〜図８のフローチャートに示すような処理を行う。
【００３７】
図６は、締めキーが押下された場合に動作する処理の流れを概略的に示すフローチャートである。販売データ登録中にキーボード４の締めキーが押下されると、制御部１００は、記憶部１４０が記憶する入力要否設定を参照し、入力項目のうち入力が必須とされている項目（必須項目）が全て入力済みであるかを判断する（ステップＳ１）。
【００３８】
ステップＳ１において、必須項目が入力済みであれば（ステップＳ１のＹｅｓ）、制御部１００は、締め処理を実施し（ステップＳ２）、本処理を終了する。また、ステップＳ１において、必須項目の入力漏れがあれば（ステップＳ１のＮｏ）、入力画面４２０を表示する（ステップＳ３）。
【００３９】
図７は、入力画面４２０の確定キー４２６が押下された場合に動作する処理の流れを概略的に示すフローチャートである。入力画面４２０において確定キー４２６が押下されると、制御部１００は、入力欄４２２への入力値が適正であるか判断する（ステップＳ１１）。適正であるか否かは、例えば、入力された数値の桁数が指定桁数に合致するか否かにより判断する。
【００４０】
ステップＳ１１において、入力値が適正であれば（ステップＳ１１のＹｅｓ）、制御部１００は、未入力項目に入力値をセットし（ステップＳ１２）、締め処理を実施して（ステップＳ１３）、本処理を終了する。また、ステップＳ１１において、入力値が不適正であれば（ステップＳ１１のＮｏ）、入力値不正を画面表示にてユーザに知らせ（ステップＳ１４）、入力画面４２０に戻る（ステップＳ１５）。
【００４１】
図８は、入力画面４２０の閉じるキー４２７が押下された場合に動作する処理の流れを示すフローチャートである。入力画面４２０において閉じるキー４２７が押下されると、制御部１００は、入力の有無にかかわらず入力画面４２０を閉じ（ステップＳ２１）、本処理を終了する。これにより、締めキー押下前に処理が戻る。
【００４２】
以上のように、本実施形態によれば、入力必須の項目の未入力があった場合は、エラー告知のみのアラート画面でなく、未入力解消専用の画面である入力画面４２０を表示して当該画面により未入力項目の入力を受け付けるようにしたので、不慣れなユーザでも戸惑わずに未入力の解消を行うことができる。
【００４３】
なお、上記実施形態では、未入力項目が販売員コードである場合を例に説明しているが、未入力項目が複数ある場合、各々の未入力項目の名称４２１および入力欄４２２を含めた入力画面４２０を、順次表示するようにしてもよい。つまり、例えば未入力項目が２つある場合に、まず一つの未入力項目についての入力画面４２０を表示し、当該項目の未入力が解消されたら次の未入力項目の入力画面４２０を表示する、といった手法をとってもよい。
【００４４】
（第２実施形態）
以下、第２実施形態である。本実施形態は、第１実施形態の変形例である。本実施形態の説明にあたっては、第１実施形態と同様の部分についての説明を省略し、第１実施形態と異なる部分について説明する。また、本実施形態において、第１実施形態と同様の部分については同一の符号を用いる。図９および図１０は、第２実施形態における入力画面５２０の一例を示す図である。
【００４５】
本実施形態の入力画面５２０は、未入力項目が複数の場合に対応するもので、複数（図示例では３つ）の未入力項目の名称５２１を表示し、名称５２１毎の入力欄５２２を備えている。網掛け表示の入力欄５２２およびキーは、無効である。つまり、図９に示す状態は販売員コードの入力を受付中であり、図１０に示す状態は客層コードの入力を受付中である。
【００４６】
販売員コードおよび顧客コードの入力に際しては、バーコード読取キー４２３の押下によりバーコードリーダ８にて読み取りを開始するか、置数キー４２４による数値入力を受け付ける。
【００４７】
客層コードの入力に際しては、客層キー５２４による入力を受け付ける。本実施形態では、未入力項目の一つである客層コードの入力に際して、入力補助部１０２は、入力画面５２０において置数キー４２４に代えて客層キー５２４を表示する。客層キー５２４は、男女別に年齢層毎のキーが設けられたものである。
【００４８】
以上、本実施形態によれば、未入力項目がいくつなのかを、入力画面５２０を表示した時点でユーザに認識させることが可能である。
【００４９】
以上説明したとおり、第１，第２実施形態によれば、不慣れなユーザでも戸惑わずに未入力の解消を行うことができる。従来のように未入力項目が残っていることを告げるエラー表示のみであると、不慣れなユーザには未入力の解消が難しく、円滑な未入力解消が行われにくいが、上記実施形態のように、未入力解消専用の画面である入力画面４２０，５２０を表示して当該画面により未入力項目の入力を受け付けるようにすることで、不慣れなユーザでもスムーズな問題解決が可能となる。
【００５０】
なお、上記実施形態では、ＰＯＳ端末装置１を情報登録装置の一例として説明したが、実施にあたっては、ＰＯＳ端末装置に限らず、他の情報登録装置に上記実施形態を適用してよい。つまり、何らかの情報を登録する装置であって、一纏まりの情報の登録に際して、入力必須と設定した入力項目に未入力があった場合、当該未入力項目の入力を受け付ける画面を表示すれば、課題解決を行うことができる。
【００５１】
なお、上記実施形態の情報登録装置で実行されるプログラムは、ＲＯＭ等に予め組み込まれて提供される。
本実施形態の情報登録装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
さらに、本実施形態の情報登録装置で実行されるプログラムを、インターネット等のネットワークに接続されたコンピュータ上に格納し、ネットワーク経由でダウンロードさせることにより提供するように構成しても良い。また、本実施形態の情報登録装置で実行されるプログラムをインターネット等のネットワーク経由で提供または配布するように構成しても良い。
本実施形態の情報登録装置で実行されるプログラムは、上述した各部（情報受付部、入力補助部）を含むモジュール構成となっている。ＣＰＵ（プロセッサ）は、上記記憶媒体からプログラムを読み出して実行することにより、上記各部を主記憶装置上にロードする。これにより、情報受付部、入力補助部が、主記憶装置上に生成される。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
１…ＰＯＳ端末装置、
２…ドロワ、３…引出し、
４…キーボード、
５…オペレータ用表示部、
６…プリンタ、
７…客用表示部、
８…バーコードリーダ、
９…カードリーダ、
１０…カード読取溝、
１００…制御部、
１０１…情報受付部（情報受付手段）、１０２…入力補助部（入力補助手段）、
１１０…ＣＰＵ、１２０…ＲＯＭ、１３０…ＲＡＭ、
１３０ａ…販売員コード記憶領域、
１３０ｂ…顧客コード記憶領域、
１３０ｃ…客層コード記憶領域、
１４０…記憶部、
１５０…通信インタフェース、
１６０…バスライン、
２００…構内通信回線網、
３００…ストアコントローラ、
４１０…商品登録画面、
４２０…入力画面、
４２１…名称、
４２２…入力欄、
４２３…バーコード読取キー、
４２４…置数キー、
４２５…クリアキー、
４２６…確定キー、
４２７…閉じるキー、
４２８…メッセージ、
５２０…入力画面、
５２１…名称、
５２２…入力欄、
５２４…客層キー、
５２８…メッセージ。
【先行技術文献】
【特許文献】
【００５４】
【特許文献１】特開２０１５−１０６１７６号公報
【図１】
0006339543.tif 000002
【図２】
0006339543.tif 000003
【図３】
0006339543.tif 000004
【図４】
0006339543.tif 000005
【図５】
0006339543.tif 000006
【図６】
0006339543.tif 000007
【図７】
0006339543.tif 000008
【図８】
0006339543.tif 000009
【図９】
0006339543.tif 000010
【図１０】
0006339543.tif 000011